(57)【要約】  本発明は、電気接地ナット１に関するものである。従来の接地ナットは、振動で弛む結果、フェイルセーフ用の安全器具が動作不能となることがあった。本発明は、この問題を、ねじ軸を受容する雌ねじと、スパナ等の緊締器具を当て付け可能に付形した外周部とを備えたナット体２を有する接地ナット１を得ることで解決した。ナット体２は、互いに反対側の概して平らな面５，６を有している。ナット体には、接地コネクタ８Ｂをナット体２に接続するためのボルト８Ａを受容するねじ穴７Ａと、グラブねじ８Ｃ，８Ｄとを受容するねじ穴７Ｂ，７Ｃとが設けられている。平らな面５には、４個の隆起リブ９Ａ，９Ｂ，９Ｃ，９Ｄが設けられ、これらのリブが、接地ナットを取り付ける面を掻き取るか又は該面に食い込むようになっている。接地ナット１はケーブル・グランドと一緒に使用できる。
2008510285.tif 000002
【特許請求の範囲】
【請求項１】
電気接地ナットにおいて、
ａ）雌ねじと、緊締具を当て付けるように付形された外周部とを有し、互いに反対側の概して平らな面を備えたナット体と、
ｂ）前記ナット体に接地コネクタを固定するボルトを受容するために、ナット体に設けた少なくとも１個のねじ穴と、
ｃ）接地ナットが当て付けられる表面に食い込むように、一方の平らな面に設けた少なくとも１つの隆起したリブとを含む電気接地ナット。
【請求項２】
前記１個のねじ穴又は各ねじ穴が、ナット体外周部からナット体内へ延びている、請求項１に記載された電気接地ナット。
【請求項３】
３個のねじ穴が設けられており、１個がボルトを受容する穴であり、他の２個が、接地ナットをねじ付けるねじ軸へ食い込むグラブねじを受容する穴である、請求項２に記載された電気接地ナット。
【請求項４】
３個又は４個又はそれ以上の個数の隆起リブが設けられている、請求項１から請求項３までのいずれか１項に記載された電気接地ナット。
【請求項５】
接地ナットの前記外周部が、概して円形であり、かつスパナを当て付けるため平らな部分を互いに反対側に有している、請求項１から請求項４までのいずれか１項に記載された電気接地ナット。
【請求項６】
接地ナットの前記外周部が多角形である、請求項１から請求項４までのいずれか１項に記載された電気接地ナット。
【請求項７】
設置ナットの前記外周部が６角形である、請求項６のいずれかに記載された電気接地ナット。
【請求項８】
２個のねじ穴が、６角形のナットの外周部の単一の面に隣接配置された、請求項３に従属する請求項７に記載された電気接地ナット。
【請求項９】
前記隆起又は突出した環状部分又はフランジが、接地ナットの一方の平らな面に形成されたリム又は穴の周囲に形成される、請求項１から請求項８までのいずれか１項に記載された電気接地ナット。
【請求項１０】
前記隆起又は突出した環状部分又はフランジが、接地ナットの互いに反対側の平らな面に形成されたリム又は穴の周囲に形成される、請求項１から請求項８までのいずれか１項に記載された電気接地ナット。
【請求項１１】
ケーブル・グランドにおいて、
請求項１から請求項１０までのいずれか１項に記載された電気接地ナットを有するケーブル・グランド。
【請求項１２】
電気接地ナットを形成する方法において、該方法が、
ａ）雌ねじと、スパナ等の緊締具を当て付けるように付形された外周部とを有し、互いに反対側の概して平らな面を備えたナット体を形成する段階と、
ｂ）前記ナット体に接地コネクタを固定するボルトを受容するために、ナット体に少なくとも１個のねじ穴を形成する段階と、
ｃ）接地ナットの一方の平らな面に少なくとも１つの隆起したリブを形成する段階とを含む、電気接地ナットを形成する方法。
【請求項１３】
電気接地ナットにおいて、
事実上、以上に図面を参照して説明し、かつ図面に示した電気接地ナット。
【請求項１４】
電気接地ナットを形成する方法において、
事実上、以上に図面を参照して説明し、かつ図面に示した電気接地ナットを形成する方法。
【発明の詳細な説明】
【技術分野】
【０００１】
本発明は、電気設置用ナットに関するものである。
【背景技術】
【０００２】
電気的な接続箱又は接続器具を、鋼線外装（ＳＷＡ）電気ケーブルに接続する場合、ＳＷＡケーブル・グランドを用いるのが普通のやり方である。これらのグランドは、一方の側（露出した側）に、外装鋼線を物理的にクランプするための圧縮取付具を、他方の側に、接続箱又は接続器具の壁部を貫通するねじ軸とを有している。接地ナットは、グランドを接続箱又は接続器具の壁部に固定するために、ねじ軸の端部に締結される。
多くの裁判管区の安全基準を満足させるために、ケーブルの少なくとも１端は接地させる必要がある。これを実施するために、バンジョー・ワッシャとして知られる特別の種類のワッシャをナットの下に配置してから、ワッシャ・アームの穴へボルトをねじ込むことにより、クリンプ・コネクタを用いて接地線が受容される。また、アームは、通常、接続箱又は接続器具箱の壁部を貫通するボルトで締結される。
【０００３】
しかし、前述のバンジョー・ワッシャには、幾つかの欠点がある。
第１に、アームは、接続箱又は接続器具の壁部から離す方向に曲げると、折れることがある。アームが折れると、グランドが大地への接続を断たれる結果となる。これは危険であり、往々にして接地を欠く結果となる。
第２に、グランドが弛むと、ワッシャとグランドとの接続が不良となり、接地への経路が高抵抗となる。
第３に接続箱又は接続器具は、プラスチック材料製であることが多く、時々、ゆがみを生じて、ワッシャとグランド間の接続が乏しくなり、この場合も、また接地への経路が高抵抗となる。
第４は、接続器具又は接続箱の壁部に穴あけする作業は、特に接近しにくい場合には、時間を食い、面倒であり、加えて、接地接続に別個のナットとボルトが必要である。
【発明の開示】
【発明が解決しようとする課題】
【０００４】
本発明の目的は、したがって、前記欠点が克服された接地ナットを得ることである。
本発明の別の目的は、ＳＷＡケーブル・グランド上でのナットとバンジョー・ワッシャの従来の組み合わせに代わり得る接地ナットを得ることである。
本発明の、更に別の目的は、他の従来の電気設備、例えば他の金属ケーブル・グランドや電線管に使用でき、かつ該電気設備にレトロフィットできる接地ナットを得ることである。
【課題を解決するための手段】
【０００５】
本発明の第１の態様によれば、
ａ）雌ねじと、スパナ等の緊締具を受容するように付形された外周部とを有する、概して平らな両面を備えたナット体と、
ｂ）該ナット体に接地コネクタを固定するボルトを受容するために、ナット体に設けた少なくとも１つのねじ穴と、
ｃ）接地ナットを当て付ける面に係止されるように一方の平らな面に設けた少なくとも１つの隆起リブとを含む電気接地ナットが得られる。
【０００６】
前記１つの又は各々の隆起リブは、理想的に寸法付けされ、接地ナットを当て付ける面を切り取る又は掻き取るように構成されている。
好ましくは、前記１つの又は各々のねじ穴は、ナット体の外周部からナット体内へ延びている。
【０００７】
別の実施例では、接地ナットが、前記一方の又は各々の平らな面に形成されたリム、又は穴の周囲に形成された隆起又は突出した環状部分又はフランジを有していてもよい。
３個の穴は理想的に設けられ、１つはボルト受容のため、他の２つは、接地ナットをねじ込むねじ軸に対してねじ込む、又は噛み合うグラブねじを受容するためのものである。
２個以上の穴が、例えば６角形の場合、周部の平らな面から延びている場合、穴はずらして配置してもよい。こうすることの利点は、グラブねじが、狭苦しいところで使用する場合に、より容易に適応させ得る点である。
好ましくは少なくとも３個の、好ましくは４個（以上）の隆起した突起又はリブを設けておく。これらの突起又はリブは、理想的にナットの平らな面に形成される。
理想的には、接地ナットの外周部は、概して円形で、対向する両側にスパナ又はレンチを当てがう平らな部分を有している。
【０００８】
本発明の更に別の実施例では、接地ナットの外周部が多角形又は理想的には６角形である。
【０００９】
更に別の実施例では、接地ナットが、前記１つの又は各々の平らな面に形成されたリム又は穴の周囲に形成された隆起又は突出した環状部分を有することができる。
隆起又は突出した環状部分を有するこの実施例の利点は、接地ナットが大きすぎる穴に配置された場合にナットを定心させることにある。この特徴により、接地ナットは、軸線方向力又は圧縮力によって定位置に保持され、振動しないことが保証される。コネクタ、特に安全コネクタの振動は望ましくない。なぜなら、接触部と接続部が緩むことで、安全コネクタの働きが無効となるからである。
本発明は、既述のように、ケーブル・グランドと組み合わせた接地ナットをも含むものである。
本発明は、既述のように、導電性ケーブルと組み合わせた接地ナットをも含むことが理解されよう。
【００１０】
本発明の別の態様によれば、
ａ）雌ねじと、緊締器具を当てがうように付形された外周部とを有し、互いに反対側の概して平らな面を備えたナット体を形成する段階と、
ｂ）ナット体に接地コネクタを固定するボルトを受容するために、ナット体に少なくとも１つのねじ穴を形成する段階と、
ｃ）接地ナットの一方の平らな面に少なくとも１つの隆起したリブを形成する段階とを含む電気接地ナットを形成する方法が得られる。
【００１１】
ナットの形成方法には、打ち抜き、すえ込み、鍛造が含まれる。
本発明のこの別の態様も、接地ナットの前述の態様に関連する他の好ましい特徴にも適用されることが理解されよう。
以下で、本発明の諸実施例を図面につき説明する。
【００１２】
図１には、電気接地ナット１が示されている。
接地ナット１は環状のナット体２を有し、該ナット体の、ほぼ円形の外周部には、スパナ又は他の緊締器具を当てがうための平らな部分３Ａ，３Ｂを互いに反対側に備えている。ナット体２は、ねじ軸を受容するための雌ねじ４を備えている、ナット体２は、互いに反対側に概して平らな面５，６を有している。
半径方向に間隔を置いた３個のねじ穴７Ａ，７Ｂ，７Ｃが、ナット体外周部からナット体２内へ延びている。ねじ穴７Ａはボルト８Ａと、大地へ通じる線を有する接地コネクタ８Ｂとを受容する。ねじ穴７Ｂ，７Ｃ（接地ナットの外周部のいずれかの位置に配置できる）は各々グラブねじ８Ｃ，８Ｄを受容し、これらのねじは、接地ナット１がねじ込まれるねじ軸（図示せず）と接触又はねじ軸内へ食い込む。
平らな面５には、歯状の隆起した四つのリブ９Ａ，９Ｂ，９Ｃ，９Ｄが、接地ナットを当て付ける面を掻き取る又は切り取るように設けられている。これらのリブ又は歯９Ａ，９Ｂ，９Ｃ，９Ｄの目的は、
【００１３】
次に図２には、接地ナット１を用いて、電気接続箱又は接続器具（図示せず）の壁部２０の穴２１を通して取り付けられるケーブル・グランド１０が示されている。ケーブル・グランド１０は、技術上公知の種類のもので、グランド・ナット１２の一方の側に、ねじ軸１１を有し、他方の側に、圧縮ナット１４を受容する圧縮ベース１とを有している。
使用時、ねじ軸１１は、穴２１を貫通し、本発明の接地ナット１により壁部２０の他方の側で固定される。
【００１４】
接地ナット１が締結されると、歯状のリブ９Ａ，９Ｂ，９Ｃ，９Ｄは、壁部２０の表面を削り取り、壁面内へ食い込む。このことには３つの利点がある。すなわち、
第１は、壁部２０が金属製であり、塗られた塗料が削り取られて、ナット１と壁部間に良好な電気接続が得られる点である。
第２に、歯状のリブによって、接地ナットが、ねじ軸１１から弛むことが防止される点である。
第３に、歯状のリブが壁部２０に噛み合うように一度緊締されると、グランド１０と接地ナット１との組合わせ組立体は、スパナ又はレンチ（図示せず）でグランド・ナット１２を回動させるだけで締結できる点である。すなわち、グランド１０を回動させる間に接地ナットを保持する別個のスパナは不要である。
【００１５】
接地コネクタ８Ｂは、ボルト８Ａによってナット体２に取り付けられる。この構成は、公知のバンジョー・ナットによるよりも、大地への信頼性のある機械的、電気的な接続を可能にする。更に、接続箱又は接続器具の壁部に厄介な穴あけをする必要がない。
グラブねじ８Ｃ，８Ｄは、ねじ軸１１と接触し、ねじ軸１１内へ食い込むことで、接地ナット１が、ねじ軸１１と確実に密着状態に保持される。グラブねじは、プラスチックの囲い上で使用される場合、又は囲い壁が使用されていないところでケーブル（図示せず）を終端する場合に、電気接触を補助する。
接地ナット１は、他の電気設備、例えば、家庭用又は工業用の電気接続箱又は接続器具の壁部内へ挿入される接続電線管、機関等の振動系への電気接続リード線、良好な電気接続と電気絶縁が安全にとって重要な航空機や船舶、油田、安全問題が重要な化学・石油化学プラントに使用できることが理解されよう。
【００１６】
本発明は、以上で具体的に説明した形式とは異なる形式をとってもよい。例えば、ナット体２の外周部は多角形、例えば６角形でもよい。
接地ナット１は、単独でも、ケーブル・グランド１０と組み合わせても販売できる。本発明は、したがって、既述のような、ケーブル・グランドと組み合わせた接地ナットにも適用できる。
【００１７】
図３ａ，図３ｂ，図３ｃに簡単に触れてみると、本発明の別の実施例による３つの異なる寸法の接地ナット１の平面図と側面図とが示されている。これらの図では、類似部分には図１及び図２と同じ符号が付されている。図３ａ，図３ｂ，図３ｃに示した接地ナットは、従来型の六角ナットの形式である。
図３ａ及び図３ｂには、異なる寸法の接地ナット１の３つの側が示され、各側に１つの穴が設けられている。各側に１個の穴を設ける理由は、接地ナット１を締結する場合、グラブねじ８を受容する穴を有する１つの側が、常に操作員に向くようにするためである。
図３ｃは、接地ナット１の大型版であり、この場合、側面の１つには２つの穴７Ａが形成されている。２つの穴７Ａは、ずらして配置されることで、接地ナットを接近しにくい区域で容易に使用できたり、狭い空間での用途に適応でき、それによって、常に１つの穴は接近可能で、グラブねじを受容できる。
図３ａ，図３ｂ，図３に示したナットは歯状のリブを有していない。しかし、これらのナットも歯状のリブを有していてもよい。
【００１８】
図４に示した実施例を簡単に説明する。図面では、類似部分には等しい符号を付してある。図示の接地ナット１には、その一方の平らな面又は各平らな面５，６に形成されたリム又は穴の周囲に形成された隆起又は突出した環状部分又はフランジ３０を有している。隆起又は突出した環状部分３０は、使用時、ナット１が大きすぎる穴又は振動しやすい箇所（図示せず）に配置された場合に、接地ナットを確実に定心させるものである。
リム又は環状部分３０は、したがって、ナット１が軸線方向力又は圧縮力によって定位置に保持され、振動しないよう保証する。
接地ナット及び穴の寸法は、異なるケーブル寸法に合わせて変更できることが理解されよう。
【００１９】
理想的には、ナットは、良好な機械的特性及び導電特性を有する材料で形成される。理想的には、金属、例えば黄銅又は鋼が好ましいが、特殊な諸用途には複合材料の使用も可能と考えられる。
本発明の使用により、従来の接地ナットの欠点が克服され、それによって、より信頼性の高い接地ナットが得られる。この接地ナットは、従来の不具合を生じることがなく、取り付けられた場合に振動を生じることがなく、使用が簡単で、取り付けが容易である。
当業者には、本発明の範囲を逸脱することなしに、更に別の変更態様が可能であることは言うまでもない。
【図面の簡単な説明】
【００２０】
【図１】本発明の一態様による接地ナットの斜視図。
【図２】本発明の一態様によるケーブル・グランド及び接地ナットの分解斜視図。
【図３ａ】本発明の別の実施例の平面図及び側面図。
【図３ｂ】本発明の別の実施例の平面図及び側面図。
【図３ｃ】本発明の別の実施例の平面図及び側面図。
【図４】本発明の、環状部分を有する更に別の実施例の平面図及び側面図。
【符号の説明】
【００２１】
１  接地ナット
２  ナット体
３Ａ，３Ｂ  接地ナットの平らな側面部分
４  雌ねじ
５，６  接地ナットの互いに反対側の平らな面
７Ａ，７Ｂ，７Ｃ  半径方向ねじ穴
８Ａ  ボルト
８Ｂ  接地コネクタ
８Ｃ，８Ｄ  グラブねじ
９Ａ，９Ｂ，９Ｃ，９Ｄ  歯、リブ
１０  ケーブル・グランド
１１  ねじ軸
１２  ナット
１３  圧縮ベース
１４  圧縮ナット
２０  接続箱又は接続器具の壁部
２１  穴
【図１】
2008510285.tif 000003
【図２】
2008510285.tif 000004
【図３Ａ】
2008510285.tif 000005
【図３Ｂ】
2008510285.tif 000006
【図３Ｃ】
2008510285.tif 000007
【図４】
2008510285.tif 000008
【手続補正書】
【提出日】平成18年5月3日(2006.5.3)
【手続補正１】
【補正対象書類名】特許請求の範囲
【補正対象項目名】全文
【補正方法】変更
【補正の内容】
【特許請求の範囲】
【請求項１】
電気接地ナットにおいて、
ａ）雌ねじと、緊締具を当て付けるように付形された外周部とを有し、互いに反対側の概して平らな面を備えたナット体と、
ｂ）前記ナット体に接地コネクタを固定するボルトを受容するための、ナット体外周部からナット体内へ延びる少なくとも１個のナット体ねじ穴と、
ｃ）接地ナットを締結するねじ軸に接触させるグラブねじを受容するための、ナット体外周部からナット体内へ延びる少なくとも１個のナット体ねじ穴とを含む電気接地ナット。
【請求項２】
接地ナットが当て付けられる表面に接触するように、接地ナットの平らな１つの面に少なくとも１個の隆起したリブを有する、請求項１に記載された電気接地ナット。  
【請求項３】
３個のねじ穴が設けられており、１個がボルトを受容する穴であり、他の２個が、接地ナットをねじ付けるねじ軸へ食い込むグラブねじを受容する穴である、請求項１又は請求項２に記載された電気接地ナット。
【請求項４】
３個又は４個又はそれ以上の個数の隆起リブが設けられている、請求項１から請求項３までのいずれか１項に記載された電気接地ナット。
【請求項５】
接地ナットの前記外周部が、概して円形であり、かつスパナを当て付けるため平らな部分を互いに反対側に有している、請求項１から請求項４までのいずれか１項に記載された電気接地ナット。
【請求項６】
接地ナットの前記外周部が多角形である、請求項１から請求項４までのいずれか１項に記載された電気接地ナット。
【請求項７】
設置ナットの前記外周部が６角形である、請求項６に記載された電気接地ナット。
【請求項８】
２個のねじ穴が、６角形のナットの外周部の単一の面に隣接配置された、請求項３に従属する請求項７に記載された電気接地ナット。
【請求項９】
前記隆起又は突出した環状部分又はフランジが、接地ナットの平らな１つの面に形成されたリム又は穴の周囲に形成される、請求項１から請求項８までのいずれか１項に記載された電気接地ナット。
【請求項１０】
前記隆起又は突出した環状部分又はフランジが、接地ナットの互いに反対側の平らな面に形成されたリム又は穴の周囲に形成される、請求項１から請求項８までのいずれか１項に記載された電気接地ナット。
【請求項１１】
ケーブル・グランドにおいて、
請求項１から請求項１０までのいずれか１項に記載された電気接地ナットを有するケーブル・グランド。
【請求項１２】
電気接地ナットを形成する方法において、該方法が、
ａ）雌ねじと、スパナ等の緊締具を当て付けるように付形された外周部とを有し、互いに反対側の概して平らな面を備えたナット体を形成する段階と、
ｂ）接地ナットに少なくとも２個のねじ穴を形成する段階とを含む、電気接地ナットを形成する方法。
【請求項１３】
前記接地ナットの平らな１つの面に少なくとも１個の隆起したリブを形成する段階を含む、請求項１２に記載された、電気接地ナットを形成する方法。
【請求項１４】
電気接地ナットにおいて、
事実上、以上に図面を参照して説明し、かつ図面に示した電気接地ナット。
【請求項１５】
電気接地ナットを形成する方法において、
事実上、以上に図面を参照して説明し、かつ図面に示した電気接地ナットを形成する方法。
【手続補正２】
【補正対象書類名】明細書
【補正対象項目名】全文
【補正方法】変更
【補正の内容】
【書類名】明細書
【発明の名称】電気接地用ナット
【技術分野】
【０００１】
本発明は、電気設置用ナットに関するものである。
【背景技術】
【０００２】
電気的な接続箱又は接続器具を、鋼線外装（ＳＷＡ）電気ケーブルに接続する場合、ＳＷＡケーブル・グランドを用いるのが普通のやり方である。これらのグランドは、一方の側（露出した側）に、外装鋼線を物理的にクランプするための圧縮取付具を、他方の側に、接続箱又は接続器具の壁部を貫通するねじ軸とを有している。接地ナットは、グランドを接続箱又は接続器具の壁部に固定するために、ねじ軸の端部に締結される。
多くの裁判管区の安全基準を満足させるために、ケーブルの少なくとも１端は接地させる必要がある。これを実施するために、バンジョー・ワッシャとして知られる特別の種類のワッシャをナットの下に配置してから、ワッシャ・アームの穴へボルトをねじ込むことにより、クリンプ・コネクタを用いて接地線が受容される。また、アームは、通常、接続箱又は接続器具箱の壁部を貫通するボルトで締結される。
【０００３】
しかし、前述のバンジョー・ワッシャには、幾つかの欠点がある。
第１に、アームは、接続箱又は接続器具の壁部から離す方向に曲げると、折れることがある。アームが折れると、グランドが大地への接続を断たれる結果となることがある。
第２に、グランドが弛むと、ワッシャとグランドとの接続が不良となり、接地への経路が高抵抗となる。
第３に接続箱又は接続器具は、プラスチック材料製であることが多く、時々、ゆがみを生じて、ワッシャとグランド間の接続が乏しくなり、この場合も、また接地への経路が高抵抗となる。
第４は、接続器具又は接続箱の壁部に穴あけする作業は、特に接近しにくい場合には、時間を食い、面倒であり、加えて、接地接続に別個のナットとボルトが必要である。
ヨーロッパ特許出願ＥＰ０５１２３６１Ａ（シュタインバハ＆フォルマンＧＭＢＨ＆Ｃｏ）には、一方の平らな面に少なくとも１つの隆起リブを有する電気接地ナットが開示されている。この隆起リブは、接地ナットが取り付けられる例えば金属キャビネットとの電気接触を、リブが塗装を掻き取り金属表面に食い込むことによって補助する。
ドイツ実用新案ＤＥ‐Ｕ１‐２０  ２００４  ００５２５９（ＰＭＡ  ＡＧ）には、穴を有する器具が開示されている。接地ブラケットを使用するさいには、フェルール又はブッシュを用いるのが、ＥＭＣシールド用の金属製リブ付きたわみ管路への接続には適している。接続は金属ブラケットに対して行われ、金属ブラケットは、例えばキャビネットや壁部に対し恒久位置に固定される。
【発明が解決しようとする課題】
【０００４】
本発明の目的は、したがって、前記欠点が克服された接地ナットを得ることである。
本発明の別の目的は、ＳＷＡケーブル・グランド上でのナットとバンジョー・ワッシャの従来の組み合わせに代わり得る接地ナットを得ることである。
本発明の、更に別の目的は、他の従来の電気設備、例えば他の金属ケーブル・グランドや電線管に使用でき、かつ該電気設備にレトロフィットできる接地ナットを得ることである。
【課題を解決するための手段】
【０００５】
本発明の第１の態様によれば、
ａ）雌ねじと、スパナ等の緊締具を受容するように付形された外周部とを有する、概して平らな両面を備えたナット体と、
ｂ）該ナット体に接地コネクタを固定するボルトを受容するための、ナット体外周部からナット体内部へ延びる少なくとも１つのナット体のねじ穴と、
ｃ）前記接地ナットをねじ込むねじ軸に接触するグラブねじを受容するための、ナット体外周部からナット体内部へ延びる少なくとも１つのナット体のねじ穴とを含む電気接地ナットが得られる。
【０００６】
好ましくは１つ以上の隆起リブが、接地ナットを当て付ける面を掻き取る又は該面に切り込むように、寸法付けされ、かつ構成されている。
好ましくは少なくとも３個の、好ましくは４個（以上）の隆起した突起又はリブを設けておく。これらの突起又はリブは、理想的にナットの平らな面に形成される。
【０００７】
更に別の実施例では、接地ナットが、前記一方の又は各々の平らな面に形成されたリム又は穴の周囲に形成された隆起又は突出した環状部分又はフランジを有することができる。
理想的には、少なくとも２個の穴を設け、１個はボルトを受容し、他は、接地ナットを締結するねじ軸に押し付けられる、又は食い込むグラブねじを受容するようにする。
２個以上の穴が、例えば６角形の場合、周部の平らな面から延びている場合、穴はずらして配置してもよい。こうすることの利点は、グラブねじが、狭苦しいところで使用する場合に、より容易に適応させ得る点である。
理想的には、接地ナットの外周部は、概して円形で、スパナ又はレンチを当てがう平らな部分を互いに反対側に有している。
【０００８】
本発明の別の実施例では、接地ナットの外周部が多角形又は理想的には６角形である。
【０００９】
別の実施例では、接地ナットが、前記一方の又は各々の平らな面に形成されたリム又は穴の周囲に形成された隆起又は突出した環状部分又はフランジを有していてもよい。
隆起又は突出した環状部分を有するこの実施例の利点は、接地ナットが大きすぎる穴に配置された場合にナットを定心させることにある。この特徴により、接地ナットは、軸線方向力又は圧縮力によって定位置に保持され、振動しないことが保証される。コネクタ、特に安全コネクタの振動は望ましくない。なぜなら、接触部と接続部が緩むことで、安全コネクタの働きが無効となるからである。
本発明は、既述のように、ケーブル・グランドと組み合わせた接地ナットをも含むものである。
本発明は、既述のように、導電性ケーブルと組み合わせた接地ナットをも含むことが理解されよう。
【００１０】
本発明の別の態様によれば、
ａ）雌ねじと、緊締器具を当てがうように付形された外周部とを有し、互いに反対側の概して平らな面を備えたナット体を形成する段階と、
ｂ）前記ナット体に少なくとも２個の穴を形成する段階とを含む電気接地ナットを形成する方法が得られる。
【００１１】
ナットの形成方法には、打ち抜き、すえ込み、鍛造が含まれる。
本発明のこの別の態様も、接地ナットの前述の態様に関連する他の好ましい特徴にも適用されることが理解されよう。
以下で、本発明の諸実施例を図面につき説明する。
【００１２】
図１には、電気接地ナット１が示されている。
接地ナット１は環状のナット体２を有し、該ナット体の、ほぼ円形の外周部には、スパナ又は他の緊締器具を当てがうための平らな部分３Ａ，３Ｂを互いに反対側に備えている。ナット体２は、ねじ軸を受容するための雌ねじ４を備えている、ナット体２は、互いに反対側に概して平らな面５，６を有している。
半径方向に間隔を置いた３個のねじ穴７Ａ，７Ｂ，７Ｃが、ナット体外周部からナット体２内へ延びている。ねじ穴７Ａはボルト８Ａと、大地へ通じる線を有する接地コネクタ８Ｂとを受容する。ねじ穴７Ｂ，７Ｃ（接地ナットの外周部のいずれかの位置に配置できる）は各々グラブねじ８Ｃ，８Ｄを受容し、これらのねじは、接地ナット１がねじ込まれるねじ軸（図示せず）と接触又はねじ軸内へ食い込む。
平らな面５には、歯状の隆起した四つのリブ９Ａ，９Ｂ，９Ｃ，９Ｄが、接地ナットを当て付ける面を掻き取る又は切り取るように設けられている。これらのリブ又は歯９Ａ，９Ｂ，９Ｃ，９Ｄの目的は、壁部２０の表面を掻き取り切り取ることである。
【００１３】
次に図２には、接地ナット１を用いて、電気接続箱又は接続器具（図示せず）の壁部２０の穴２１を通して取り付けられるケーブル・グランド１０が示されている。ケーブル・グランド１０は、技術上公知の種類のもので、グランド・ナット１２の一方の側に、ねじ軸１１を有し、他方の側に、圧縮ナット１４を受容する圧縮ベース１とを有している。
使用時、ねじ軸１１は、穴２１を貫通し、本発明の接地ナット１により壁部２０の他方の側で固定される。
【００１４】
接地ナット１が締結されると、歯状のリブ９Ａ，９Ｂ，９Ｃ，９Ｄは、壁部２０の表面を削り取り、壁面内へ食い込む。このことには３つの利点がある。すなわち、
第１は、壁部２０が金属製であり、塗られた塗料が削り取られて、ナット１と壁部間に良好な電気接続が得られる点である。
第２に、歯状のリブによって、接地ナットが、ねじ軸１１から弛むことが防止される点である。
第３に、歯状のリブが壁部２０に噛み合うように一度緊締されると、グランド１０と接地ナット１との組合わせ組立体は、スパナ又はレンチ（図示せず）でグランド・ナット１２を回動させるだけで締結できる点である。すなわち、グランド１０を回動させる間に接地ナットを保持する別個のスパナは不要である。
【００１５】
接地コネクタ８Ｂは、ボルト８Ａによってナット体２に取り付けられる。この構成は、公知のバンジョー・ナットによるよりも、大地への信頼性のある機械的、電気的な接続を可能にする。更に、接続箱又は接続器具の壁部に厄介な穴あけをする必要がない。
グラブねじ８Ｃ，８Ｄは、ねじ軸１１と接触し、ねじ軸１１内へ食い込むことで、接地ナット１が、ねじ軸１１と確実に密着状態に保持される。グラブねじは、プラスチックの囲い上で使用される場合、又は囲い壁が使用されていないところでケーブル（図示せず）を終端する場合に、電気接触を補助する。
接地ナット１は、他の電気設備、例えば、家庭用又は工業用の電気接続箱又は接続器具の壁部内へ挿入される接続電線管、機関等の振動系への電気接続リード線、良好な電気接続と電気絶縁が安全にとって重要な航空機や船舶、油田、安全問題が重要な化学・石油化学プラントに使用できることが理解されよう。
【００１６】
本発明は、以上で具体的に説明した形式とは異なる形式をとってもよい。例えば、ナット体２の外周部は多角形、例えば６角形でもよい。
接地ナット１は、単独でも、ケーブル・グランド１０と組み合わせても販売できる。本発明は、したがって、既述のような、ケーブル・グランドと組み合わせた接地ナットにも適用できる。
【００１７】
図３ａ，図３ｂ，図３ｃに簡単に触れてみると、本発明の別の実施例による３つの異なる寸法の接地ナット１の平面図と側面図とが示されている。これらの図では、類似部分には図１及び図２と同じ符号が付されている。図３ａ，図３ｂ，図３ｃに示した接地ナットは、従来型の六角ナットの形式である。
図３ａ及び図３ｂには、異なる寸法の接地ナット１の３つの側が示され、各側に１つの穴が設けられている。各側に１個の穴を設ける理由は、接地ナット１を締結する場合、グラブねじ８を受容する穴を有する１つの側が、常に操作員に向くようにするためである。
図３ｃは、接地ナット１の大型版であり、この場合、側面の１つには２つの穴７Ａが形成されている。２つの穴７Ａは、ずらして配置されることで、接地ナットを接近しにくい区域で容易に使用できたり、狭い空間での用途に適応でき、それによって、常に１つの穴は接近可能で、グラブねじを受容できる。
図３ａ，図３ｂ，図３に示したナットは歯状のリブを有していない。しかし、これらのナットも歯状のリブを有していてもよい。
【００１８】
図４に示した実施例を簡単に説明する。図面では、類似部分には等しい符号を付してある。図示の接地ナット１には、その一方の平らな面又は各平らな面５，６に形成されたリム又は穴の周囲に形成された隆起又は突出した環状部分又はフランジ３０を有している。隆起又は突出した環状部分３０は、使用時、ナット１が大きすぎる穴又は振動しやすい箇所（図示せず）に配置された場合に、接地ナットを確実に定心させるものである。
リム又は環状部分３０は、したがって、ナット１が軸線方向力又は圧縮力によって定位置に保持されるよう保証する。
接地ナット及び穴の寸法は、異なるケーブル寸法に合わせて変更できることが理解されよう。
【００１９】
理想的には、ナットは、良好な機械的特性及び導電特性を有する材料で形成される。理想的には、金属、例えば黄銅又は鋼が好ましいが、特殊な諸用途には複合材料の使用も可能と考えられる。
本発明の使用により、従来の接続器具の欠点が克服され、それによって、より信頼性の高い接地ナットが得られる。この接地ナットは、従来の不具合を生じることがなく、取り付けられた場合に振動を生じることがなく、使用が簡単で、取り付けが容易である。
当業者には、本発明の範囲を逸脱することなしに、更に別の変更態様が可能であることは言うまでもない。
【図面の簡単な説明】
【００２０】
【図１】本発明の一態様による接地ナットの斜視図。
【図２】本発明の一態様によるケーブル・グランド及び接地ナットの分解斜視図。
【図３ａ】本発明の別の実施例の平面図及び側面図。
【図３ｂ】本発明の別の実施例の平面図及び側面図。
【図３ｃ】本発明の別の実施例の平面図及び側面図。
【図４】本発明の、環状部分を有する更に別の実施例の平面図及び側面図。
【符号の説明】
【００２２】
１  接地ナット
２  ナット体
３Ａ，３Ｂ  接地ナットの平らな側面部分
４  雌ねじ
５，６  接地ナットの互いに反対側の平らな面
７Ａ，７Ｂ，７Ｃ  半径方向ねじ穴
８Ａ  ボルト
８Ｂ  接地コネクタ
８Ｃ，８Ｄ  グラブねじ
９Ａ，９Ｂ，９Ｃ，９Ｄ  歯、リブ
１０  ケーブル・グランド
１１  ねじ軸
１２  ナット
１３  圧縮ベース
１４  圧縮ナット
２０  接続箱又は接続器具の壁部
２１  穴
【国際調査報告】
2008510285.tif 000009
2008510285.tif 000010